(57)【要約】【課題】  受け金物の上面板部と左右の袖板部が、上面板部にＵ字溝状の折り曲げ部が形成されている、一枚板の折り曲げ加工により構成できるようにして、製作が容易かつ安価にできることは勿論、強度的にも安定し、背面板部に固定した掛止具によって竪金物への着脱操作が容易にできるようにする。【解決手段】  上面板部１と、上面板部１の両側に連設されて先方へ向かって幅狭くなるように上り勾配に形成されている左右の袖板部２，３と、構築物等の壁面に固定した竪金物への掛け止め側に位置して左右の袖板部２，３間に固定されている背面板部４とを備えたケーブル等の受け金物において、上面板部１と左右の袖板部２，３は、上面板部１に長さ方向に沿ってＵ字溝状の折り曲げ部１ａを設けるようにして、板取りされた一枚板を折り曲げて形成した一体物とされ、この一体物に背面板部４が溶接により固定されていると共に、背面板部４には上記竪金物に着脱自在である掛止部５が突設されている構成である。【選択図】  図１
2006060989.tif 000002
【特許請求の範囲】
【請求項１】
上面板部と、この上面板部の両側に連設されて先方へ向かって幅狭くなるように上り勾配に形成されている左右の袖板部と、構築物等の壁面に固定した竪金物への掛け止め側に位置して左右の袖板部間に固定されている背面板部とを備えたケーブル等の受け金物において、上面板部と左右の袖板部は、上面板部に長さ方向に沿ってＵ字溝状の折り曲げ部を設けるようにして、板取りされた一枚板を折り曲げて形成した一体物とされ、この一体物に背面板部が溶接により固定されていると共に、背面板部には上記竪金物に着脱自在である掛止部が突設されていることを特徴とするケーブル等の受け金物。
【請求項２】
掛止部は竪金物への掛け止め部分として機能する頭部と、断面形状が四角形であるつけ根部分、背面板部への固定部分として機能する軸部とを備えていることを特徴とする請求項１記載のケーブル等の受け金物。
【発明の詳細な説明】
【技術分野】
【０００１】  本発明は、構築物等の壁面に固定した竪金物に取り付けて、布設されるケーブル等を支持するために用いる受け金物に関する。
【背景技術】
【０００２】  ケーブル等を支持するために用いる受け金物としては、上面板部と、先方へ向かって幅狭くなるように上り勾配に形成されている左右の袖板部と、背面板部とを備え、上面板部上にはケーブルの受け部となる凹面部ガ絞り加工により設けられている一方、背面板部には、構築物等の壁面に固定された竪金物（支持部）の設けられているダルマ穴と称せられている取付け穴に対応させて、ボルトの挿着穴を上下２箇所に設けた構造のものが知られている。【０００３】この公知の受け金物は、上面板部に凹面部を形成するための絞り加工、上面板部と左右の袖板を形成するための折り曲げ加工、背面板部を溶接により固定する工程を経て製品化され、背面板部の２箇所の挿着穴にそれぞれ挿着したボルトを該挿着穴に対応した竪金物の上下の取付け穴に掛け止めて、各各のボルトをナット締めすることにより竪金物に取り付けて使用するものである。
【特許文献１】  意匠登録第１０３７１４７号公報
【発明の開示】
【発明が解決しようとする課題】
【０００４】  上記公知の受け金物は、竪金物への取り付けに２本のボルトを用いてナット締めする必要があるため、取り付け操作は煩わしく作業性が悪いという問題がある。更にまた、製品は絞り部分にひび割れ等の不具合の発生する恐れがあって、素材である鉄板は絞り加工の関係で比較的硬度の小さいもの（やわらかいもの）を選んで用いる必要があるが、硬度が小さい鉄板は通常用いられている鉄板より需要が極めて少なく高価であって、それの使用は製作面と相俟って価格も高くなるという経済性の点で問題があった。【０００５】  本発明は上記の問題を解決したものであって、その目的は、受け金物の上面板部と左右の袖板部が、上面板部にＵ字溝状の折り曲げ部を設けるようにして、板取りされた一枚板の折り曲げ加工により構成できるようにして、製作が容易かつ安価にできることは勿論、強度的にも安定しており、また、背面板部に固定された掛止部によって竪金物への着脱操作がワンタッチ操作で容易にできるように改良したケーブル等の受け金物を提供することにある。
【課題を解決するための手段】
【０００６】  上記目的を達成するために、本発明の特徴とするケーブル等の受け金物は、上面板部と、この上面板部の両側に連設されて先方へ向かって幅狭くなるように上り勾配に形成された左右の袖板部と、構築物等の壁面に固定した竪金物への掛け止め側に位置して左右の袖板部間に固定されている背面板部とを備えたケーブル等の受け金物において、上面板部と左右の袖板部は、上面板部に長さ方向に沿ってＵ字溝状の折り曲げ部を設けるようにして、板取りされた一枚板を折り曲げて形成した一体物とされ、この一体物に背面板部が溶接により固定されていると共に、背面板部には上記竪金物に着脱自在である掛止部が突設されている構成である。【０００７】  この発明の構成において、掛止部は竪金物への掛け止め部分として機能する頭部と背面板部に挿着して固定される部分である軸部を備え、頭部のつけ根部分は断面形状が四角形である。また、上面板部と背面板部の一体物の素材には通常の鉄板を用いることができ、製品は必要に応じてどぶ漬けによる亜鉛めっきが施される。
【発明の効果】
【０００８】  本発明に係るケーブル等の受け金物は、上面板部と左右の袖板部は上面板部に形成するＵ字溝状の折り曲げ部とともに全体が一枚板の折り曲げ加工によって構成されているため作業性は良好であってコストダを図る上に有効である。また、竪金物への取り付けは、背面板部に一体化して突設されている１個の掛止具による引っ掛け方式の採用によって、容易確実にできることは勿論、Ｕ字溝状の折り曲げ部の存在と相俟って強度的にも優れた製品を安価に提供できる。
【発明を実施するための最良の形態】
【０００９】  以下に、本発明の実施の形態を図面を参照して説明する。図１乃至図４において、１は上面板部、２，３は上面板部１の両側に連設されて先方へ向かって幅狭くなるように上り勾配に形成された左右の袖板部、４は背面板部であって、上面板部１と袖板部２，３は、上面板部１に長さ方向に沿ってＵ字溝状の折り曲げ部１ａを設けるようにして、板取りされた一枚板（例えば、肉厚が１．６ｍｍ程度の鉄板）を折り曲げて一体物に形成されており、この一体物には、左右の袖板部２，３に内接して、後述する竪金物への取り付け側に臨む背面板部（例えば、肉厚が６．０ｍｍ程度の鉄板）４が溶接により固定されている。なお、上面板部１は先方へ向かって２°程度の上り勾配になっている。【００１０】  背面板部４には、該背面板部４に軸部５ｂを挿着して、その軸部５ｂ部分で溶接により固定した掛止部５が設けられ、掛止部５には竪金物への着脱自在な掛け止め部分として機能する頭部５ａが軸部５ｂの外端に一体に設けられており、頭部５ａのつけ根部分５ｃは竪金物への取り付け時の回り止めとして、断面形状が四角形に形成されている。竪金物（図示せず）は、構築物等の壁面にアンカーボルト等により固定されて、受け金物を支持する支持部材であって、その竪金物には上下にわたって複数個のダルマ穴と称せられている取付け穴が設けられており、このダルマ穴の一つを選んで掛止部５の頭部５ａを掛け止める。【００１１】  このように構成された受け金物には必要に応じてどぶ漬けによる亜鉛めっきが施され所期の最終製品を得ることができる。Ｕ字溝状の折り曲げ部１ａにはケーブル取り付け用の窓穴６（図示の場合は３個）が設けられており、また、折り曲げ部１ａの両側に接する背面板部４の部分には、どぶ漬けによるめっき材料の当該内側部分への堆積防止のため、余分なめっき材料を流出させる流出口７，７が設けられている。なお、図示の場合、掛止部５には市販の丸頭角根ボルトが用いられており、この丸頭角根ボルトは背面板部４に挿着した後で溶接により背面板部４に固定される。上面板部１と袖板部２の一体物の長さは２５０ｍｍ程度、上板面部１の幅は５３．２ｍｍ程度、背面板部は縦が４２ｍｍ、横が５０ｍｍ程度である。
【図面の簡単な説明】
【００１２】
【図１】  本発明の実施の一形態を示す斜視図である。
【図２】  図１に示すもの平面図である。
【図３】  図１に示すものの背面図である。
【図４】  図１に示すものの左側面図である。
【符号の説明】
【００１３】    １は上面板部
１ａは折り曲げ部
２，３は袖板部
４は背面板部
５は係止部
５ａは頭部
５ｂは軸部
５ｃはつけ根部分
【図１】
2006060989.tif 000003
【図２】
2006060989.tif 000004
【図３】
2006060989.tif 000005
【図４】
2006060989.tif 000006